(57)【要約】【課題】ユーザに手間をかけることなく、異なるフォーマット（例えば顧客用と控え用）の画像形成を行うこと。【解決手段】ＲＡＭが記憶する印字条件情報の設定内容におけるｂ部目のトレイ情報を読み出す（Ｓ２２０）。次に、印字データをＲＡＭから読み出すとともに、印字条件情報の設定内容におけるｂ部目のマクロＩＤに対応するフォーマットデータをＲＡＭから読み出す（Ｓ２３０）。さらに、この印字データとフォーマットデータとを合成して画像データを生成する（Ｓ２４０）。そして、ｂ部目のトレイ情報にて指定された給紙トレイから給紙させた用紙に、その画像データに基づき画像形成させる。このことにより、ユーザに手間をかけることなく、異なるフォーマット（例えば顧客用と控え用）の画像形成を行うことができる。【選択図】図９
2005066948.tif 000002
【特許請求の範囲】
【請求項１】
被記録媒体を積載可能な複数の給紙トレイと、
受信した印字データを記憶する印字データ記憶手段と、
前記印字データと合成して画像データを生成するためのフォーマットデータを記憶するフォーマットデータ記憶手段と、
前記印字データを印字する被記憶媒体の部数である印字部数ｎ（ｎは２以上の整数）を示す情報、印字部毎にフォーマットデータを指定する情報、および印字部毎に前記複数の給紙トレイの一つを指定する情報を少なくとも含む印字条件情報を、前記印字データに関連付けて記憶する印字条件情報記憶手段と、
前記印字データ記憶手段によって記憶された一つの印字データに、前記フォーマットデータ記憶手段によって記憶されたフォーマットデータを合成して画像データを生成する画像データ生成手段と、
前記画像データ生成手段によって生成された画像データに基づいて被記録媒体上に画像を形成する画像形成手段と、
前記複数の給紙トレイの中から選択された一つの給紙トレイから被記録媒体を取り出して前記画像形成手段に給紙する給紙手段と、
前記印字条件情報記憶手段が記憶する印字条件情報に基づいて印字部毎に、前記複数の給紙トレイの中から一つの給紙トレイを選択し、その選択された給紙トレイから被記録媒体を給紙手段に給紙させ、前記印字条件情報に関連付けられた印字データを前記印字データ記憶手段から読み出すとともに、前記印字条件情報記憶手段が記憶する前記印字条件情報に基づいて印字部毎に指定されたフォーマットデータを前記フォーマットデータ記憶手段から読み出し、前記画像データ生成手段によって前記印字データ記憶手段から読み出した印字データに、前記フォーマットデータ記憶手段から読み出した、印字部毎に指定されたフォーマットデータを合成させることにより画像データを生成させ、その生成された画像データに基づき前記画像形成手段によって被記録媒体上に画像を形成させる、画像形成制御処理を実行する画像形成制御手段と、
を備えることを特徴とする画像形成装置。
【請求項２】
請求項１記載の画像形成装置において、
特定の印字部に対して特定の給紙トレイが指定された場合には、前記特定の印字部以外の少なくとも何れか一つの印字部に対して前記特定の給紙トレイ以外の一つの給紙トレイを、当該印字部の給紙トレイに設定する設定手段を備えることを特徴とする画像形成装置。
【請求項３】
請求項１または請求項２記載の画像形成装置において、
前記画像形成制御手段は、前記印字データを受信した受信ポート、前記印字データを送信した端末を特定する情報、または前記印字データのコマンド体型を示す情報の何れか少なくとも一つに基づいて、前記画像形成制御処理を実行するか否かを判断することを特徴とする画像形成装置。
【請求項４】
被記録媒体を積載可能な複数の給紙トレイと、
受信した印字データを記憶する印字データ記憶手段と、
前記印字データを印字する被記憶媒体の部数である印字部数ｎ（ｎは２以上の整数）を示す情報、および印字部毎に前記複数の給紙トレイの一つを指定する情報を少なくとも含む印字条件情報を、前記印字データに関連付けて記憶する印字条件情報記憶手段と、
特定の印字部に対して特定の給紙トレイが指定された場合には、前記特定の印字部以外の少なくとも何れか一つの印字部に対して前記特定の給紙トレイ以外の一つの給紙トレイを、当該印字部の給紙トレイに設定する設定手段と、
前記印字データに基づいて被記録媒体上に画像を形成する画像形成手段と、
前記複数の給紙トレイの中から選択された一つの給紙トレイから被記録媒体を取り出して前記画像形成手段に給紙する給紙手段と、
前記印字条件情報記憶手段が記憶する前記印字条件情報に基づいて印字部毎に、前記複数の給紙トレイの中から一つの給紙トレイを選択し、その選択された給紙トレイから被記録媒体を前記給紙手段に給紙させるとともに、前記印字条件情報に関連付けられた印字データを前記印字データ記憶手段から読み出し、その読み出した印字データに基づき前記画像形成手段によって被記録媒体上に画像形成させる、画像形成制御処理を実行する画像形成制御手段と、
を備えることを特徴とする画像形成装置。
【請求項５】
被記録媒体を積載可能な複数の給紙トレイと、
受信した印字データを記憶する印字データ記憶手段と、
前記印字データを印字する被記憶媒体の部数である印字部数ｎ（ｎは２以上の整数）を示す情報、および印字部毎に前記複数の給紙トレイの一つを指定する情報を少なくとも含む印字条件情報を、前記印字データに関連付けて記憶する印字条件情報記憶手段と、
前記印字データに基づいて被記録媒体上に画像を形成する画像形成手段と、
前記複数の給紙トレイの中から選択された一つの給紙トレイから被記録媒体を取り出して前記画像形成手段に給紙する給紙手段と、
前記印字条件情報記憶手段が記憶する前記印字条件情報に基づいて印字部毎に、前記複数の給紙トレイの中から一つの給紙トレイを選択し、その選択された給紙トレイから被記録媒体を前記給紙手段に給紙させるとともに、前記印字条件情報に関連付けられた印字データを前記印字データ記憶手段から読み出し、その読み出した印字データに基づき前記画像形成手段によって被記録媒体上に画像形成させる、画像形成制御処理を実行する画像形成制御手段と、
を備える画像形成装置であって、
前記画像形成制御手段は、前記印字データを受信した受信ポート、前記印字データを送信した端末を特定する情報、または前記印字データのコマンド体型を示す情報の何れか少なくとも一つに基づいて、前記画像形成制御処理を実行するか否かを判断すること
を特徴とする画像形成装置。
【請求項６】
請求項１〜請求項５の何れかに記載の画像形成装置において、
操作部を備え、
前記画像形成制御手段は、ユーザが操作部を介して行った指示に基づいて印字条件情報を作成し、その作成された印字条件情報を前記印字条件情報記憶手段に記憶させること
を特徴とする画像形成装置。
【発明の詳細な説明】
【技術分野】
【０００１】
本発明は、例えばレーザプリンタなど印字データに基づいて被記録媒体上に画像を形成する技術に関する。
【背景技術】
【０００２】
従来、インパクトドットプリンタなどでは、カーボン紙（裏面にインクが塗布された紙）と被転写紙とを重ねて印字部に搬送し、カーボン紙上に印字を行うことで、顧客用としてのカーボン紙への画像形成と、控え用としての被転写紙への画像形成（カーボン紙からの裏写り画像）とを同時に行い、同じ情報を同時に印字することが可能であった。そのため、カーボン紙用のフォーマットと、被転写紙用のフォーマットを異ならせ、一目で顧客用なのか控え用なのかを判別できるように利用することが一般的であった。しかしながら、昨今普及しているレーザプリンタでは、同様の処理を実現する場合、顧客用フォーマットでの印字と、控え用フォーマットでの印字とを２回指令する必要があり、手間がかかっていた。そのため、このようなレーザプリンタの中には、顧客用フォーマットおよび控え用フォーマットを印字するためのデータを記憶しておき、印字部毎にフォーマットのデータを画像データと合成して被記録媒体にそれぞれ印字するものがある（例えば、特許文献１参照。）。
【特許文献１】特開２００１−３２８３２５号公報（第９頁、図６）
【発明の開示】
【発明が解決しようとする課題】
【０００３】
しかしながら、上述のようなレーザプリンタにおいて、例えば顧客用と控え用とで異なる被記録媒体を使用する場合には、上記の特許文献１で示された技術では同一の給紙トレイから給紙を行うため、上述の要望に対応することができなかった。
【０００４】
なお、このようなことはレーザプリンタに限られず、例えばインクジェットプリンタなど、印字データに基づいて被記録媒体上に画像形成する画像形成装置であれば、同様の問題が生じていた。
【０００５】
本発明は、このような不具合に鑑みなされたものであり、その目的とするところは、印字データに基づいて被記録媒体上に画像形成する画像形成装置において、例えば顧客用と控え用とで異なる被記録媒体を使用する場合において、ユーザに手間をかけることなく、例えば顧客用と控え用とを区別して画像形成する技術を提供することにある。
【課題を解決するための手段】
【０００６】
上記課題を解決するためになされた請求項１に係る画像形成装置は、被記録媒体を積載可能な複数の給紙トレイと、受信した印字データを記憶する印字データ記憶手段と、前記印字データと合成して画像データを生成するためのフォーマットデータを記憶するフォーマットデータ記憶手段と、前記印字データを印字する被記憶媒体の部数である印字部数ｎ（ｎは２以上の整数）を示す情報、印字部毎にフォーマットデータを指定する情報、および印字部毎に前記複数の給紙トレイの一つを指定する情報を少なくとも含む印字条件情報を、前記印字データに関連付けて記憶する印字条件情報記憶手段と、前記印字データ記憶手段によって記憶された一つの印字データに、前記フォーマットデータ記憶手段によって記憶されたフォーマットデータを合成して画像データを生成する画像データ生成手段と、前記画像データ生成手段によって生成された画像データに基づいて被記録媒体上に画像を形成する画像形成手段と、前記複数の給紙トレイの中から選択された一つの給紙トレイから被記録媒体を取り出して前記画像形成手段に給紙する給紙手段と、前記印字条件情報記憶手段が記憶する印字条件情報に基づいて印字部毎に、前記複数の給紙トレイの中から一つの給紙トレイを選択し、その選択された給紙トレイから被記録媒体を給紙手段に給紙させ、前記印字条件情報に関連付けられた印字データを前記印字データ記憶手段から読み出すとともに、前記印字条件情報記憶手段が記憶する前記印字条件情報に基づいて印字部毎に指定されたフォーマットデータを前記フォーマットデータ記憶手段から読み出し、前記画像データ生成手段によって前記印字データ記憶手段から読み出した印字データに、前記フォーマットデータ記憶手段から読み出した、印字部毎に指定されたフォーマットデータを合成させることにより画像データを生成させ、その生成された画像データに基づき前記画像形成手段によって被記録媒体上に画像を形成させる、画像形成制御処理を実行する画像形成制御手段と、を備えることを特徴とする。
【０００７】
このように構成された本発明では、画像形成制御手段（８５：この欄においては、発明に対する理解を容易にするため、必要に応じて「発明を実施するための最良の形態」欄で用いた符号を付すが、この符号によって請求の範囲を限定することを意味するものではない。）が、次のような画像形成制御処理を実行する。すなわち、印字条件情報記憶手段（８７）が記憶する印字条件情報に基づいて印字部毎に、複数の給紙トレイ（６）の中から一つの給紙トレイを選択し、その選択された給紙トレイから被記録媒体（３）を給紙手段（１２）に給紙させる。続いて、印字条件情報に関連付けられた印字データを印字データ記憶手段（８７）から読み出す。なお、ここでは、同じ印字データを印字部数と同じ回数だけ読み出すことになる。そして、印字条件情報記憶手段が記憶する印字条件情報に基づいて印字部毎に指定されたフォーマットデータをフォーマットデータ記憶手段（８７）から読み出す。なお、フォーマットデータとは、例えば証書や届け書、願書など各種文書の書式、例えば「顧客用」や「控え用」、「社内秘」など書類に付するスタンプマークを表すデータである。さらに、画像データ生成手段（８５）によって印字データ記憶手段から読み出した印字データに、フォーマットデータ記憶手段から読み出した、印字部毎に指定されたフォーマットデータを合成させることにより画像データを生成させる。そして、画像データ生成手段によって生成された画像データに基づき画像形成手段（１７，１８，１９）によって被記録媒体上に画像を形成させる。このことにより、異なる被記録媒体を複数の給紙トレイ毎に積載しておけば、ユーザに手間をかけることなく、例えば顧客用と控え用とを区別して画像形成することができる。
【０００８】
なお、上述の印字データについては、パーソナルコンピュータなどにおいて作成された後にＰＣ側ネットワークインターフェースなどの送信手段を介して画像形成装置に送信され、一方、画像形成装置において、送信された印字データを、画像形成装置側ネットワークインターフェースなどの受信手段（８９）を介して受信し、その受信した印字データを印字データ記憶手段が記憶することが考えられる。
【０００９】
また、上述のフォーマットデータについては、印字データの場合と同様に、パーソナルコンピュータなどにおいて作成された後にＰＣ側ネットワークインターフェースなどの送信手段を介して画像形成装置に送信され、一方、画像形成装置において、送信された印字データを、画像形成装置側ネットワークインターフェースなどの受信手段を介して受信し、その受信した印字データをフォーマットデータ記憶手段が記憶することが考えられる。
【００１０】
また、上述の印字条件情報については、印字データの場合と同様に、パーソナルコンピュータなどにおいて作成された後にＰＣ側ネットワークインターフェースなどの送信手段を介して画像形成装置に送信され、一方、画像形成装置において、送信された印字条件情報を、画像形成装置側ネットワークインターフェースなどの受信手段を介して受信し、その受信した印字条件情報を印字条件情報記憶手段が記憶することが考えられる。
【００１１】
ところで、上述の印字条件情報については、画像形成装置がテンキーなどの操作部（９２）を備え、その操作部に対するユーザの操作に基づいて、画像形成制御手段が、印字条件情報を作成し、作成された印字条件情報を印字条件情報記憶手段に記憶させることが考えられる。具体的には、請求項６のように、操作部を備え、画像形成制御手段が、ユーザが操作部を介して行った指示に基づいて印字条件情報を作成し、その作成された印字条件情報を印字条件情報記憶手段に記憶させるようにすることが考えられる。このように、その操作部に対するユーザの操作に基づいて画像形成制御手段が作成した印字条件情報を印字条件情報記憶手段に記憶させておけば、ユーザが印字を依頼するごとに印字条件情報を画像形成装置に送信したり操作部を操作して印字条件情報を作成したりする必要がなく、印字データのみを送信すればよいので、ユーザの利便性を向上させることができる。
【００１２】
ところで、例えば給紙トレイが３つ以上存在しており、給紙トレイの一つには顧客用の被記録媒体を積載し、それ以外の給紙トレイには顧客用の被記録媒体以外を積載する場合において、控え用の被記録媒体を給紙する給紙トレイを選択するときには、顧客用の被記録媒体を積載する給紙トレイ以外の給紙トレイであればよいと考えられる。そこで、請求項２のように、特定の印字部に対して特定の給紙トレイが指定された場合には、設定手段（８５）が、特定の印字部以外の少なくとも何れか一つの印字部に対して特定の給紙トレイ以外の一つの給紙トレイを、印字部の給紙トレイに設定することが考えられる。一例を挙げると、例えば給紙トレイが３つ以上存在し、一段目の給紙トレイ、二段目の給紙トレイ、三段目の給紙トレイの順に優先度が高いと設定されており、一段目の給紙トレイに顧客用の被記録媒体が積載されている場合において、一部目に印字部に対して一段目の給紙トレイが指定されているときには、二部目の印字部には、一段目の給紙トレイ以外の中で最も優先度が高い二段目の給紙トレイを、印字部の給紙トレイに設定するといった具合である。このように、例えば顧客用の被記録媒体を積載する「特定の給紙トレイ」について印字部に対して設定しておけば、特定の給紙トレイ以外の給紙トレイについては、設定手段が、被記録媒体を取り出す給紙トレイを設定するので、全ての印字部に対して給紙トレイを設定する場合に比べて、ユーザの手間がかからない。
【００１３】
なお、このことは、上述のように印字条件情報が、印字部数ｎ（ｎは２以上の整数）を示す情報、印字部毎にフォーマットデータを指定する情報、および印字部毎に複数の給紙トレイの一つを指定する情報を少なくとも含む場合だけでなく、請求項４に係る画像形成装置のように、印字条件情報が、印字部毎にフォーマットデータを指定する情報を含まず、印字部数ｎ（ｎは２以上の整数）を示す情報、および印字部毎に複数の給紙トレイの一つを指定する情報を少なくとも含む場合（予め各給紙トレイに例えば装飾のための異なる被記録媒体を積載しておき、同一の印字データが印字された異なる印字結果を得る場合）にも同様である。
【００１４】
ところで、例えば見積書や契約書など顧客用および控え用を作成する必要がある書類のみを作成する専用端末、およびそれ以外の一般文書を作成する一般端末が、画像形成装置に接続されている場合がある。このような場合において、顧客用および控え用を作成する必要がある書類を作成した後に、一般文書を作成する場合や、一般文書を作成した後に、顧客用および控え用を作成する必要がある書類を作成する場合には、顧客用および控え用を作成する必要がある書類を作成するための設定と、一般文書を作成するための設定とを切り替える必要がありユーザにとって面倒である。そこで、請求項３のように、(イ)印字データを受信した受信ポート、(ロ)印字データを送信した端末を特定する情報、または(ハ)印字データのコマンド体型を示す情報の何れか少なくとも一つに基づいて、画像形成制御手段が、画像形成制御処理を実行するか否かを判断することが好ましい。
【００１５】
このうち、(イ) 印字データを受信した受信ポートについては、次のように判断する。すなわち、特定の受信ポートに専用端末を接続することにより、特定の受信ポートを介して印字データを受信した場合には、その印字データが、顧客用および控え用を作成する必要がある書類を表すものと推定し、上述の画像形成制御処理を実行する。一方、特定の受信ポート以外の受信ポートを介して印字データを受信した場合には、その印字データが、一般文書を表すものと推定し、上述の画像形成制御処理を実行しない（通常の画像形成、すなわち、画像データを１部印字する）。
【００１６】
また、（ロ）印字データを送信した端末を特定する情報については、次のように判断する。すなわち、例えば要求者名やアドレス情報などの、印字データを送信した端末を特定する情報に基づいて、その印字データを送信した端末が専用端末または一般端末の何れであるか特定する。ここで、特定されたのが専用端末である場合には、画像形成制御手段が、上述の画像形成制御処理を実行する。一方、一般端末である場合には、画像形成制御手段が、上述の画像形成制御処理を実行しない（通常の画像形成、すなわち、画像データを１部印字する）。
【００１７】
また、（ハ）印字データのコマンド体型を示す情報については、次のように判断する。すなわち、印字データのコマンド体型が、その印字データが例えばプリンタドライバ経由であることを示すコマンド体型である場合には、画像形成制御手段が、上述の画像形成制御処理を実行する。一方、印字データのコマンド体型が、その印字データが例えばプリンタドライバ経由であることを示すコマンド体型ではない場合には、画像形成制御手段が、上述の画像形成制御処理を実行しない（通常の画像形成、すなわち、画像データを１部印字する）。
【００１８】
このようにすれば、顧客用および控え用を作成する必要がある書類を作成するための設定と、一般文書を作成するための設定とをユーザが切り替える手間を省くことができる。
なお、このことは、上述のように印字条件情報が、印字部数ｎ（ｎは２以上の整数）を示す情報、印字部毎にフォーマットデータを指定する情報、および印字部毎に複数の給紙トレイの一つを指定する情報を少なくとも含む場合だけでなく、請求項５に係る画像形成装置のように、印字条件情報が、印字部毎にフォーマットデータを指定する情報を含まず、印字部数ｎ（ｎは２以上の整数）を示す情報、および印字部毎に複数の給紙トレイの一つを指定する情報を少なくとも含む場合（予め各給紙トレイに例えば装飾のための異なる被記録媒体を積載しておき、同一の印字データが印字された異なる印字結果を得る場合）にも同様である。
【００１９】
また、上述の画像形成装置における画像形成制御手段は、コンピュータを機能させるプログラムとして実現できる。したがって、本発明は、プログラムの発明として実現できる。また、このようなプログラムの場合、例えば、ＦＤ、ＭＯ、ＤＶＤ−ＲＯＭ、ＣＤ−ＲＯＭ、ハードディスク等のコンピュータ読み取り可能な記録媒体に記録し、必要に応じてコンピュータにロードして起動することにより用いることができる。この他、ＲＯＭやバックアップＲＡＭをコンピュータ読み取り可能な記録媒体として本プログラムを記録しておき、ＲＯＭあるいはバックアップＲＡＭをコンピュータに組み込んで用いてもよい。
【発明を実施するための最良の形態】
【００２０】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００２１】
図１は、本発明が適用された画像形成装置としてのレーザプリンタ１の概略断面図である。また、図２は、レーザプリンタ１の用紙搬送経路及び搬送手段を示す概略断面図である。
【００２２】
［レーザプリンタ１の構成の説明］
本実施例のレーザプリンタ１は、図１に示すように、本体ケース２内に、被記録媒体としての用紙３を給紙するための複数段のフィーダ部４、マルチパーパストレイ１４、給紙された用紙３に所定の画像を形成するためのプロセスユニット１８および定着装置１９等を備えている。また、レーザプリンタ１は、ＬＣＤやＬＥＤ等により構成され、レーザプリンタ１の作動状況等を表示する表示部９１、および各種設定入力用スイッチや電源スイッチ等によって構成され、レーザプリンタ１の動作設定等を行う操作部９２を本体ケース２の上部に備えている。なお、以降、このレーザプリンタ１において、マルチパーパストレイ１４が本体ケース２に取り付けられている側（図１で左側）を「前部」とし、同じくマルチパーパストレイ１４が本体ケース２に取り付けられている側とは反対側を「後部」とする。
【００２３】
［フィーダ部４の構成の説明］
各フィーダ部４は、本体ケース２内の底部に、着脱可能に装着される給紙トレイ６と、給紙トレイ６内に設けられた用紙押圧板８と、給紙トレイ６の一端側端部の上方に設けられる給紙ローラ１２および分離パット１３とを備えている。また、給紙ローラ１２から画像形成位置Ｐ（感光体ドラム２３と転写ローラ２５との接触部、つまり感光体ドラム２３上のトナー像が用紙３に転写される転写位置）までの間には、湾曲状に形成された搬送経路７が配されている。なお、本実施例のレーザプリンタ１では、２つのフィーダ部４を備えているが、これには限られず、３つ以上のフィーダ部４を備えるようにしてもよい。
【００２４】
用紙押圧板８は、用紙３を積層状にスタック可能であり、給紙ローラ１２に対して遠い方の端部において揺動可能に支持されることによって、近い方の端部が上下方向に移動可能に構成されており、また、その裏側からばね８ａによって上方向に付勢されている。給紙ローラ１２および分離パット１３は、互いに対向状に配設され、分離パット１３のパッド支持体１３ｃの裏側に配設されるばね１３ｂによって、摩擦係数の大きい部材からなるパット１３ａが給紙ローラ１２に向かって押圧されている。
【００２５】
なお、パット１３ａおよび給紙ローラ１２は、用紙３の搬送方向に直交する方向の幅寸法が用紙３の幅寸法より短く形成され、給紙時において、用紙３の幅方向の略中央部のみと接触するように配置されている。
【００２６】
一方、搬送経路７は、用紙３の広幅面を案内する一対のガイド板７ａ，７ｂが配置されることにより湾曲状に形成されている。また、この搬送経路７には、用紙搬送の上流側から順に、給紙ローラ１２、駆動ローラ１１ａと従動ローラ１１ｂとからなる一対の搬送ローラ１１、駆動ローラ１０ａと従動ローラ１０ｂとからなる一対の搬送ローラ１０、および前記画像形成位置Ｐの直前に配置され、駆動ローラ９ａと従動ローラ９ｂとからなる一対のレジストローラ９が、適宜間隔にて配置されている。そして、搬送ローラ１１の搬送方向上流側直前には、第３用紙センサ５４が配置され、同じく搬送ローラ１０の搬送方向上流側直前には、第２用紙センサ５５が配置され、レジストローラ９の搬送方向上流側直前には、第１用紙センサ５６が配置されている。前記レジストローラ９の搬送方向下流側直後には、画像タイミングセンサ５７が配置されている。前記各センサ５４〜５７は、搬送中の用紙３の先端に押されて回動可能となるセンサレバー５８ａ，５８ｂ，５８ｃ，５８ｄと、該回動するセンサレバー５８ａ〜５８ｄの他端側の位置を感知して、前記用紙３の先端縁が所定位置に来たことを感知するホトインタラプタ等の検知器５９ａ，５９ｂ，５９ｃ，５９ｄとからなる。
【００２７】
以上のように構成されたフィーダ部４においては、用紙押圧板８上に積層された用紙３のうち最上位にある用紙３が、給紙ローラ１２に向かって押圧され、その給紙ローラ１２の回転によって給紙ローラ１２と分離パット１３とで挟まれた後、１枚毎に給紙される。給紙された用紙３は、搬送ローラ１１にて搬送された後、搬送ローラ１０およびレジストローラ９に順次送られ、用紙３を所定のレジスト後に、画像形成位置Ｐに送るようにしている。
【００２８】
［マルチパーパストレイ１４の構成の説明］
前記最上位置のフィーダ部４より上方位置の本体ケース２の一側には、用紙３を手差しにて供給するためのマルチパーパストレイ１４と、マルチパーパストレイ１４上に積層される用紙３を給紙するためのマルチパーパス側給紙ローラ１５ａおよびマルチパーパス側給紙パット１５ｂとを備えており、マルチパーパス側給紙パット１５ｂの裏側に配設されるばね１５ｃによって、マルチパーパス側給紙パット１５ｂがマルチパーパス側給紙ローラ１５ａに向かって押圧されている。また、マルチパーパストレイ１４は、駆動ローラと従動ローラの対からなる一対の搬送ローラ１６を備えている。また、この搬送ローラ１６の搬送方向上流側直前には、マルチパーパストレイ用紙センサ（図示せず）が配置されている。このマルチパーパストレイ用紙センサは前記各センサ５４〜５７と同様の構成である。
【００２９】
以上のように構成されたマルチパーパストレイ１４においては、マルチパーパストレイ１４上に積層される用紙３が、回転するマルチパーパス側給紙ローラ１５ａとマルチパーパス側給紙パット１５ｂとで挟まれた後、１枚毎に給紙されて一対の搬送ローラ１６を介して前記レジストローラ９に送られる。
【００３０】
［スキャナユニット１７の構成の説明］
スキャナユニット１７は、本体ケース２の上部のうち、排紙トレイ３６の下面側に配置され、レーザ発光部（図示せず）、回転駆動されるポリゴンミラー２０、レンズ２１ａおよび２１ｂ、反射鏡２２などを備えており、レーザ発光部から発光される所定の画像データに基づくレーザービームを、ポリゴンミラー２０、レンズ２１ａ、反射鏡２２、レンズ２１ｂの順に通過あるいは反射させて、プロセスユニット１８における感光体ドラム２３の表面上に高速走査にて照射させている。
【００３１】
［プロセスユニット１８の構成の説明］
プロセスユニット１８は、感光体ドラム２３、スコロトロン型帯電器３７、転写ローラ２５等を有するドラムカートリッジと、そのドラムカートリッジに着脱自在な現像カートリッジ２４とから構成されている。現像カートリッジ２４は、トナー収容部２６、現像ローラ２７、層厚規制ブレード２８、トナー供給ローラ２９等を備えている。
【００３２】
トナー収容部２６には、現像剤として、正帯電性の非磁性１成分の重合トナーが充填されており、そのトナーがトナー供給ローラ２９によって現像ローラ２７に供給され、この時、トナー供給ローラ２９と現像ローラ２７との間で正に摩擦帯電され、さらに、現像ローラ２７上に供給されたトナーは、現像ローラ２７の回転に伴って、層厚規制ブレード２８の摺擦により一定厚さの薄層として現像ローラ２７上に担持される。一方、回転する感光体ドラム２３は現像ローラ２７と対向して配置され、ドラム本体が接地されると共に、その表面が有機系感光体材料、例えば、ポリカーボネートなどから構成される正帯電性の感光層により形成されている。
【００３３】
このレーザプリンタ１では、転写ローラ２５によってトナー像が用紙３に転写された後に感光体ドラム２３の表面上に残存する残存トナーを、現像ローラ２７によって回収する、いわゆるクリーナレス方式によって残存トナーを回収するようにしている。このようなクリーナレス方式によって感光体ドラム２３の表面上の残存トナーを回収すれば、ブレードなどのクリーナ装置や廃トナーの貯留手段を設ける必要がないため、装置構成の簡略化、小型化およびコストの低減化を図ることができる。
【００３４】
スコロトロン型帯電器３７は、感光体ドラム２３の上方に、感光体ドラム２３に接触しないように、所定の間隔を隔てて配設されている。スコロトロン型帯電器３７は、タングステンなどの帯電用ワイヤからコロナ放電を発生させる正帯電用のスコロトロン型の帯電器であり、感光体ドラム２３の表面を一様に正極性に帯電させるように構成されている。
【００３５】
そして、感光体ドラム２３の表面は、その感光体ドラム２３の回転に伴なって、まず、スコロトロン型帯電器３７により一様に正帯電された後、スキャナユニット１７からのレーザービームの高速走査により露光され、所定の画像データに基づく静電潜像が形成される。
【００３６】
次いで、現像ローラ２７の回転により、現像ローラ２７上に担持されかつ正帯電されているトナーが、感光体ドラム２３に対向して接触する時に、感光体ドラム２３の表面上に形成される静電潜像、すなわち、一様に正帯電されている感光体ドラム２３の表面のうち、レーザービームによって露光され電位が下がっている露光部分に供給され、選択的に担持されることによって可視像化され、これによってトナー像が達成される。
【００３７】
転写ローラ２５は、感光体ドラム２３の下方において、この感光体ドラム２３に対向するように配置され、前記ドラムカートリッジに図１において時計方向に回転可能に支持されている。この転写ローラ２５は、金属製のローラ軸に、イオン導電性のゴム材料からなるローラが被覆されており、転写時には、転写バイアス印加電源から転写バイアス（転写順バイアス）が印加されるように構成されている。そのため、感光体ドラム２３の表面上に担持されたトナー像は、用紙３が感光体ドラム２３と転写ローラ２５との間を通る間に用紙３に転写される。
【００３８】
［定着装置１９の構成の説明］
定着装置１９は、図１に示すように、プロセスユニット１８より側方の搬送方向下流側に配設され、１つの加熱ローラ３１と、この加熱ローラ３１を押圧するように配置された加圧ローラ３２と、これらの下流側に設けられる１対の搬送ローラ３３を備えている。加熱ローラ３１は、アルミ等の金属製で加熱のためのハロゲンランプ等のヒータを備えており、プロセスユニット１８において用紙３上に転写されたトナーを、用紙３が加熱ローラ３１と加圧ローラ３２との間を通過する間に熱定着させる。その後、用紙３は搬送ローラ３３によって、本体ケース２内の一側の排紙パスにおける搬送ローラ３４および排紙ローラ３５により搬送され、その後排紙トレイ３６上に排紙される。なお、定着装置１９は、スキャナユニット１７およびプロセスユニット１８とともに、画像形成手段に該当する。
【００３９】
［裏面印刷を行うための構成の説明］
また、本実施例のレーザプリンタ１は、用紙３の表裏両面に画像を形成するための再搬送ユニット４１を備えている。再搬送ユニット４１は、反転機構部４２と再搬送トレイ４３とが一体的に構成され、本体ケース２の後部側に反転機構部４２が外付けされ、再搬送トレイ４３が最上位置のフィーダ部４の上方に挿入するような状態で、着脱自在に装着されている。
【００４０】
反転機構部４２は、本体ケース２の後壁に外付けされた断面略矩形状のケーシング４４と、その内部のフラッパ４５、反転ローラ４６および再搬送ローラ４７等からなる。前記ケーシング４４の上端部には反転ガイドプレート４８が上向きに突出している。
【００４１】
フラッパ４５は、本体ケース２内の後部の搬送ローラ３３の下流側近傍にて回動可能に配置され、図示しない電磁ソレノイドの励磁、非励磁の切替えにより、一方の面に画像形成されて搬送ローラ３３によって搬送された用紙３を、搬送ローラ３４に向かう方向と、反転ローラ４６に向かう方向とに選択的に切替えできる。片面印刷された用紙３を排紙トレイ３６に排紙する場合には、フラッパ４５を上向き回動させる。両面印刷する場合には、フラッパ４５を反転ローラ４６に向かう方向に切替える。そして、正逆回転切替え可能な反転ローラ４６にて挟持された用紙３は、まず、反転ローラ４６の正回転により反転ガイドプレート４８に向かって搬送され、その後、反転ローラ４６の逆回転により用紙３を再搬送ローラ４７に逆送りし、再搬送トレイ４３における湾曲ガイド板５２からトレイ本体５０上の斜行ローラ５１により、図示しない基準板に用紙３の側縁が当接されながら搬送され、再搬送ガイド板５３を介して、前記搬送ローラ１０の箇所に戻される。これにより、搬送ローラ１０、レジストローラ９の箇所では、用紙３の非印字面が上面に向くように反転される結果、その状態で画像形成位置Ｐを通過させると、用紙３の裏面に画像形成できることになる。
【００４２】
［レーザプリンタ１の制御系の説明］
次に、レーザプリンタ１の制御系を図３のブロック図を参照しながら説明する。この制御系では、図３に示すように、搬送動作の制御等のための各種演算を実行するＣＰＵ（中央演算装置）８５と、制御プログラム等を記憶させたＲＯＭ（読み出し専用メモリ）８６と、各種のデータを一時的に記憶させるＲＡＭ（随時読み書き可能メモリ）８７と、画像データ展開用メモリ８８と、入出力インターフェース８９等を備えている。そして、ＣＰＵ８５は、図示しないコンピュータ等から入出力インターフェース８９を介して印字ジョブや画像形成の指令を受け取ることができる。なお、ＣＰＵ８５は、画像形成制御手段、画像データ生成手段および設定手段に該当する。
【００４３】
［ＲＡＭ８７の記憶内容の説明］
このうち、ＲＡＭ８７は、印字ジョブを記憶しておくのに利用される。この印字ジョブには、図４(ａ)に例示するように、ジョブ名や、要求者名、インターフェース（Ｉ／Ｆ）情報、ＵＥＬ（Ｕｎｉｖｅｒｓａｌ  Ｅｘｉｔ  Ｌａｎｇｕａｇｅの略）情報、ページ情報などが挙げられる。このページ情報には、ページ番号や、用紙サイズ、イメージデータなどが含まれている。なお、「要求者名」は、特許請求の範囲における「印字データを送信した端末を特定する情報」に該当する。また、「Ｉ／Ｆ情報」は、特許請求の範囲における「印字データを受信した受信ポート」に該当する。また、「ＵＥＬ情報」は、特許請求の範囲における「印字データのコマンド体型」に該当する。
【００４４】
また、ＲＡＭ８７は、フォーマットデータ、印字条件情報を記憶しておくのに利用される。このうちフォーマットデータとは、例えば証書や届け書、願書など各種文書の書式、例えば「顧客用」や「控え用」、「社内秘」など書類に付するスタンプマークなどを表すデータであり、それぞれにはマクロＩＤが付されている。また、印字条件情報とは、印字データを印字する印字部数を示す「印字部数情報」、印字部毎にフォーマットデータを指定する「マクロＩＤ」、および印字部毎に複数の給紙トレイ６の一つを指定する「トレイ情報」といったカーボンコピーを実行するための情報などがあり、図４(ｂ)に示すような表形式でＲＡＭ８７に記憶されている。なお、ここで云う「カーボンコピー」とは、印字データを複製し、その複製した印字データにフォーマットデータを付加して新たな印字データを複数作成し、印字することを云う。一例を挙げると、印字データを複製し、その複製した印字データに、「顧客用」とスタンプマークを付加して新たな印字データを作成し、印字するといった具合である。
【００４５】
この印字条件情報は、図４(ｂ)に例示するように、二段階の階層を有する構造にてＲＡＭ８７に格納されている。まず、第一階層には、項目「Ｃａｒｂｏｎ  Ｃｏｐｙ」が格納されている。また、第二階層には、項目「Ｃａｒｂｏｎ  Ｃｏｐｙ  Ｍｅｎｕ」、項目「Ｃｏｐｉｅｓ」、項目「Ｃｏｐｙ１  Ｔｒａｙ」、項目「Ｃｏｐｙ１  Ｍａｃｒｏ」、項目「Ｃｏｐｙ２  Ｔｒａｙ」、項目「Ｃｏｐｙ２  Ｍａｃｒｏ」などが格納されている。なお、印字部数に応じて、項目「Ｃｏｐｙ３  Ｔｒａｙ」、項目「Ｃｏｐｙ３  Ｍａｃｒｏ」、・・・、項目「Ｃｏｐｙ（Ｎ）  Ｍａｃｒｏ」、項目「Ｃｏｐｙ（Ｎ）  Ｔｒａｙ」（Ｎは１以上の整数）を格納する。このうち、項目「Ｃａｒｂｏｎ  Ｃｏｐｙ  Ｍｅｎｕ」は、カーボンコピー機能に関する設定内容を表し、カーボンコピー機能を有効にする設定「ＯＮ」、カーボンコピー機能を無効にする設定「ＯＦＦ」、プリンタドライバ経由である場合に付加されるＵＥＬ情報が印刷ジョブに含まれていない場合のみカーボンコピー機能を有効にする設定「Ａｕｔｏ」、および印字ジョブをローカルネットワーク経由で受信した場合にのみカーボンコピー機能を有効にする設定「Ｌｏｃａｌ」を選択肢としている。また、本実施例では、設定「ＯＦＦ」が初期設置されている。また、項目「Ｃｏｐｉｅｓ」は、カーボンコピーを行う場合の印字部数を示す変数であり、その値は１以上の整数値である。なお、数値「１」が初期設定値となっている。さらに、項目「Ｃｏｐｙ（Ｎ）  Ｔｒａｙ」（Ｎは１以上の整数）は、Ｎ部目を画像形成する際に用紙３を給紙する給紙トレイ６を指定する項目であり、給紙トレイを自動的に選択する設定「Ａｕｔｏ」、一番目の給紙トレイ６を選択する設定「Ｔｒａｙ１」、二番目の給紙トレイ６を選択する設定「Ｔｒａｙ２」、三番目の給紙トレイ６を選択する設定「Ｔｒａｙ３」を選択肢としている。なお、設定「Ａｕｔｏ」を除く設定「Ｔｒａｙ１」や設定「Ｔｒａｙ２」などは、レーザプリンタ１が備える給紙トレイ６の数量に応じて登録される。また、項目「Ｃｏｐｙ（Ｎ）  Ｍａｃｒｏ」（Ｎは１以上の整数）は、Ｎ部目を画像形成する際に印字データと合成するフォーマットデータのマクロＩＤ番号を指定する項目である。
なお、ＲＡＭ８７は、印字条件情報記憶手段、印字データ記憶手段およびフォーマットデータ記憶手段に該当する。
【００４６】
［各種センサの構成、各駆動モータの構成、各クラッチの構成の説明］
また、レーザプリンタ１の制御系においては、図３に示すように、第３用紙センサ５４、第２用紙センサ５５、第１用紙センサ５６および画像タイミングセンサ５７が、入力インターフェースを介してＣＰＵ８５に接続されており、前記各センサからの検知信号がＣＰＵ８５に入力される。また、第１駆動モータ６３、第２駆動モータ６６、給紙ローラ１２のための第４クラッチ７０、搬送ローラ１１のための第３クラッチ８０、搬送ローラ１０のための第２クラッチ８１、レジストローラ９のための第１クラッチ８２が、出力インターフェースを介してＣＰＵ８５に接続されている。
【００４７】
このうち、第１駆動モータ６３は、図示しない歯車列を介して、搬送ローラ１０の駆動ローラ１０ａの駆動軸に接続され、第１駆動モータ６３の回転力を伝達することにより搬送ローラ１０の駆動ローラ１０ａを図２における時計方向に回転させる。また、第１駆動モータ６３は、図示しない歯車列を介して搬送ローラ１１の駆動ローラ１１ａの駆動軸に接続されており、第１駆動モータ６３の回転力を伝達することにより搬送ローラ１１の駆動ローラ１１ａを図２における時計方向に回転させる。さらに、第１駆動モータ６３は、図示しない歯車列を介して給紙ローラ１２の駆動軸に接続されており、第１駆動モータ６３の回転力を伝達することにより給紙ローラ１２を図２における時計方向に回転させる。
【００４８】
また、第２駆動モータ６６は、図示しない歯車列を介して感光体ドラム２３の駆動軸に接続されており、第２駆動モータ６６の回転力を伝達することにより感光体ドラム２３を図２における反時計方向に回転させる。また、第２駆動モータ６６は、図示しない歯車列を介してレジストローラ９の駆動ローラ９ａに接続されており、第２駆動モータ６６の回転力を伝達することによりレジストローラ９の駆動ローラ９ａを図２における時計方向に回転させる。
【００４９】
また、第１クラッチ８２、第２クラッチ８１、第３クラッチ８０は、それぞれ対応する駆動ローラ側に介挿された電磁クラッチ（図示せず）であり、これら電磁クラッチを接続状態とした場合には、駆動モータの駆動力をそれぞれ対応する駆動ローラに伝達し、一方、電磁クラッチを遮断状態とした場合には、駆動モータの駆動力をそれぞれ対応する駆動ローラには伝達せずに駆動ローラを空転させるよう構成されている。
【００５０】
また、ＣＰＵ８５には、操作部９２から入力された各種指示に基づいて、後述する印字条件情報設定処理や、印字部数設定処理、マクロ選択処理、トレイ情報設定処理などの各種処理を実行したり、処理結果などを表示部９１に表示させたりする。
【００５１】
なお、本実施例のレーザプリンタ１のその他の構成は、公知技術に従っているので、詳細な説明は省略する。
［印字条件情報設定処理についての説明］
次に、レーザプリンタ１の制御系が実行する印字条件情報設定処理を、図５(ａ)を参照しながら説明する。なお、図５(ａ)はレーザプリンタ１の制御系が実行する印字条件情報設定処理を説明する説明図である。ここではレーザプリンタ１が３つの給紙トレイ６を備える場合を例に説明するが、レーザプリンタ１が２つ以上の給紙トレイ６を備える場合であれば本処理を適用できる。
【００５２】
まず、操作部９２を介してカーボンコピー機能を設定する旨の指示をユーザから受け付けた場合には、図５(ａ)に示すように、項目「Ｃａｒｂｏｎ  Ｃｏｐｙ」をＲＡＭ８７から読み出して表示部９１に表示させる。
【００５３】
操作部９２のキー「Ｓｅｔ」が押下されると、項目「Ｃａｒｂｏｎ  Ｃｏｐｙ  Ｍｅｎｕ」をＲＡＭ８７から読み出して表示部９１に表示させる。さらに、キー「Ｓｅｔ」が押下されると、初期設定されている設定「ＯＦＦ」をＲＡＭ８７から読み出して表示部９１に表示される。なお、記号「＊」は、その項目が現在設定されている設定内容であることを示す。設定「ＯＦＦ」が表示された状態から、キー「→」が押下されるごとに、設定「ＯＮ」、設定「Ａｕｔｏ」、設定「Ｌｏｃａｌ」をＲＡＭ８７から順に読み出して表示部９１に表示させる。また、設定「ＬＯＣＡＬ」が表示された状態から、キー「←」が押下されるごとに、キー「→」が押下された場合とは逆の順に選択肢をＲＡＭ８７から読み出して表示部９１に表示させる。ここで、操作部９２のキー「Ｓｅｔ」が押下されると、現在表示されている設定が選択されたとみなしてその右方に記号「＊」を表示させる。
【００５４】
なおここで、設定「ＯＦＦ」以外の設定が選択されると、項目「Ｃｏｐｉｅｓ」をＲＡＭ８７から読み出して表示部９１に表示させるとともに、後述する印字部数設定処理に移行する。
【００５５】
［印字部数設定処理についての説明］
次に、レーザプリンタ１の制御系が実行する印字部数設定処理を、図５(ｂ)および図６(ａ)を参照しながら説明する。なお、図５（ｂ）は、レーザプリンタ１の制御系が実行する印字部数情報設定処理を説明する説明図であり、図６(ａ)は、レーザプリンタの制御系が実行する印字部数情報設定処理を説明する説明図である。
【００５６】
本処理は、先の印字条件情報設定処理において、項目「ＯＦＦ」以外の項目が選択された場合に実行される。
まず、先の印字条件情報設定処理において、設定「ＯＦＦ」以外の設定が選択されたことにより、図５(ｂ)に示すように、項目「Ｃｏｐｉｅｓ」が表示部９１に表示されている場合において、操作部９２のキー「Ｓｅｔ」が押下されると、印字部数の初期設定値をＲＡＭ８７から読み出して表示部９１に表示させる。本実施例では、印字部数の初期設定値が数値「１」に設定されている。
【００５７】
ここで、操作部９２のキー「←」が押下されると、ＲＡＭ８７が記憶する印字部数の記憶内容を１枚減少させるとともに、変更後の印字部数を表示部９１に表示させる。一方、操作部９２のキー「→」が押下されると、ＲＡＭ８７が記憶する印字部数の記憶内容を１枚増加させるとともに、変更後の印字部数を表示部９１に表示させる。ここで、操作部９２のキー「Ｓｅｔ」が押下されると、現在表示されている印字部数で決定されたとみなしてその右方に記号「＊」を表示させる。
【００５８】
なお、項目「Ｃｏｐｉｅｓ」が表示部９１に表示されている際に、操作部９２のキー「←」またはキー「→」が押下されると、項目「Ｃａｒｂｏｎ  Ｃｏｐｙ  Ｍｅｎｕ」をＲＡＭ８７から読み出して表示部９１に表示させる。さらに、操作部９２のキー「Ｓｅｔ」が押下されると、先の印字条件情報設定処理に移行することができる。
【００５９】
さて、上述のように印字部数が決定されると、図４(ｂ)に示した表の第二階層に、その印字部数分の、項目「Ｃｏｐｙ（Ｎ）  Ｔｒａｙ」、および項目「Ｃｏｐｙ（Ｎ）  Ｍａｃｒｏ」が登録される。さらに、上述の項目「Ｃｏｐｙ（Ｎ）  Ｔｒａｙ」それぞれには、その印字部数分の項目「Ｔｒａｙ（Ｎ）」が登録される（図４（ｂ）を参照。）。
【００６０】
ここで、操作部９２のキー「←」またはキー「→」を押下すると、図６(ａ)に示すように、第二階層の各項目をＲＡＭ８７から順に読み出して表示部９１に表示させる。具体的には、項目「Ｃｏｐｉｅｓ」が表示部９１に表示された状態から、操作部９２のキー「→」が押下されると、項目「Ｃｏｐｙ１  Ｔｒａｙ」、項目「Ｃｏｐｙ１  Ｍａｃｒｏ」、項目「Ｃｏｐｙ２  Ｔｒａｙ」、項目「Ｃｏｐｙ２  Ｍａｃｒｏ」、項目「Ｃｏｐｙ３  Ｔｒａｙ」、項目「Ｃｏｐｙ３  Ｍａｃｒｏ」、項目「Ｃａｒｂｏｎ  Ｃｏｐｙ  Ｍｅｎｕ」をＲＡＭ８７から順に読み出して表示部９１に表示させる。一方、項目「Ｃｏｐｉｅｓ」が表示部９１に表示された状態から、操作部９２のキー「←」が押下されると、操作部９２のキー「→」が押下された場合とは逆の順に各項目をＲＡＭ８７から読み出して表示部９１に表示させる。
【００６１】
なおここで、項目「Ｃｏｐｙ（Ｎ）  Ｍａｃｒｏ」が表示部９１に表示された状態において、操作部９２のキー「Ｓｅｔ」が押下されると、項目「Ｃｏｐｙ（Ｎ）  Ｍａｃｒｏ」をＲＡＭ８７から読み出して表示部９１に表示させるとともに、後述するマクロ選択処理に移行する。また、項目「Ｃｏｐｙ（Ｎ）  Ｔｒａｙ」が表示部９１に表示された状態において、操作部９２のキー「Ｓｅｔ」が押下されると、後述するトレイ情報設定処理に移行する。
【００６２】
［マクロ選択処理についての説明］
次に、レーザプリンタ１の制御系が実行するマクロ選択処理を、図６(ｂ)および図６(ｃ)を参照しながら説明する。なお、図６ (ｂ)は、レーザプリンタの制御系が実行するマクロ選択処理を説明する説明図であり、図６(ｃ)は、レーザプリンタの制御系が実行するマクロ選択処理を説明する説明図である。
【００６３】
本処理は、先の印字部数設定処理において、項目「Ｃｏｐｙ（Ｎ）  Ｍａｃｒｏ」が選択された場合に実行される。
まず、先の印字部数設定処理において、項目「Ｃｏｐｙ（Ｎ）  Ｍａｃｒｏ」が選択されたことにより、図６（ｂ）に示すように、項目「Ｃｏｐｙ（Ｎ）  Ｍａｃｒｏ」が表示部９１に表示されている場合において、操作部９２のキー「Ｓｅｔ」が押下されると、マクロＩＤの初期設定値をＲＡＭ８７から読み出して表示部９１に表示させる。本実施例では、マクロＩＤの初期設定値が数値「１」に設定されている。
【００６４】
ここで、操作部９２のキー「←」またはキー「→」が押下させると、Ｎ個のマクロが登録されている場合には、数値「１」から数値「Ｎ」を表示部９１に表示させる。具体的には、数値「１」が表示部９１に表示された状態から、操作部９２のキー「→」が押下されると、数値「２」から数値Ｎへ向かって昇順に表示部９１に表示させる。一方、項目「１」が表示された状態から、操作部９２のキー「←」が押下されると、数値［Ｎ］から数値「２」へ向かって降順に表示部９１に表示させる。なお、マクロが登録されていない場合には、図６（ｃ）に示すように、「ＮＯ  ＭＡＣＲＯ！！」と表示部９１に表示させる。ここで、操作部９２のキー「Ｓｅｔ」が押下されると、現在表示されている数値に対応するマクロが選択されたとみなし、その数値の右方に記号「＊」を表示させる。そして、項目「Ｃｏｐｉｅｓ」をＲＡＭ８７から読み出して表示部９１に表示させるとともに、印字部数設定処理に移行する。
【００６５】
［トレイ情報設定処理についての説明］
次に、レーザプリンタ１の制御系が実行するトレイ情報設定処理を、図７（ｂ）のフローチャートを参照して説明する。本処理は、先の印字部数設定処理において、項目「Ｃｏｐｙ（Ｎ）  Ｔｒａｙ」が選択された場合に実行される。
【００６６】
まず、最初のステップ３１０（以下、「ステップ」を単に「Ｓ」と記す。）では、先の印字部数設定処理において項目「Ｃｏｐｙ（Ｎ）  Ｔｒａｙ」が選択されると、項目「Ｃｏｐｙ１  Ｔｒａｙ」から項目「Ｃｏｐｙ（Ｎ）  Ｔｒａｙ」および各トレイ情報の設定内容をＲＡＭ８７から読み出して表示部９１に表示させる。本実施例では、トレイ情報の初期設定が設定「Ａｕｔｏ」に設定されている。
【００６７】
続くＳ３２０では、トレイ情報が変更されたか否かを判断する。なお、トレイ情報の変更は次のように実行される。すなわち、操作部９２のキー「←」またはキー「→」が押下されると、項目「Ｃｏｐｙ１  Ｔｒａｙ」から項目「Ｃｏｐｙ（Ｎ）  Ｔｒａｙ」を順に表示部９１に表示させる。ここで、操作部９２のキー「Ｓｅｔ」が押下されると、現在表示されている項目の設定内容を変更する処理に移行する。続いて操作部９２のキー「←」またはキー「→」が押下されると、項目「Ｔｒａｙ１」から項目「Ｔｒａｙ（Ｎ）」および項目「Ａｕｔｏ」を順に表示させる。ここで、操作部９２のキー「Ｓｅｔ」が押下されると、現在表示されている項目が選択されたとみなし、ＲＡＭ８７が記憶するトレイ情報の記憶内容をその内容に更新する。
【００６８】
さてＳ３２０に戻り、ここで、ＲＡＭ８７の記憶内容を参照してトレイ情報が変更されていない場合には（Ｓ３２０：Ｎ）、トレイ情報が変更されるまでこのＳ３２０を再び繰り返す。ただし、操作部９２を介して本処理を終了する旨の指示をユーザから受け付けた場合には、本処理を終了する。一方、トレイ情報が変更された場合には（Ｓ３２０：Ｙ）、Ｓ３３０に移行する。
【００６９】
Ｓ３３０では、先のＳ３２０にて変更されたと判断されたトレイ情報の設定内容をＲＡＭ８７から読み出す。
Ｓ３４０では、先のＳ３３０にて読み出したトレイ情報の設定内容が設定「Ａｕｔｏ」であるか否かを判断する。ここで、トレイ情報の設定内容が設定「Ａｕｔｏ」ではない場合には（Ｓ３４０：Ｎ）、その設定値をそのまま表示させ（Ｓ３６０）、本処理を終了する。一方、トレイ情報の設定内容が設定「Ａｕｔｏ」である場合には（Ｓ３４０：Ｙ）、Ｓ３５０に移行する。
【００７０】
Ｓ３５０では、他のＴｒａｙ項目において、特定のトレイを指定しているか否かを判断する。ここで、他のＴｒａｙ項目において、特定のトレイを指定していない場合には(Ｓ３５０：Ｙ)、項目「Ａｕｔｏ」を表示部９１に表示させ（Ｓ３７０）、本処理を終了する。一方、他のＴｒａｙ項目において、特定のトレイを指定している場合には(Ｓ３５０：Ｙ)、項目「Ｒｅｍａｉｎｉｎｇ  Ｔｒａｙ」を表示部９１に表示させる（Ｓ３８０）。ここで、項目「Ｒｅｍａｉｎｉｎｇ  Ｔｒａｙ」とは、特定のトレイを除いた他のトレイのうちの一つを選択する設定内容を云う。そして本処理を終了する。
【００７１】
一例を挙げると、図７(ａ)に例示するように、全ての項目が「ＡＵＴＯ」である場合において、項目「Ｃｏｐｙ２  Ｔｒａｙ」に対して「Ｔｒａｙ1」を指定すると、上記処理により、項目「Ｃｏｐｙ１  Ｔｒａｙ」および項目「Ｃｏｐｙ３  Ｔｒａｙ」を、項目「Ｒｅｍａｉｎｉｎｇ  Ｔｒａｙ」にそれぞれ再設定するといった具合である。また、図７(ａ)に例示するように、項目「Ｃｏｐｙ２  Ｔｒａｙ」に対する設定を、「Ｔｒａｙ1」から「ＡＵＴＯ」に変更すると、項目「Ｃｏｐｙ１  Ｔｒａｙ」および項目「Ｃｏｐｙ３  Ｔｒａｙ」を、項目「Ｒｅｍａｉｎｉｎｇ  Ｔｒａｙ」から「ＡＵＴＯ」に再設定するといった具合である。
【００７２】
［画像データ生成処理についての説明］
次に、レーザプリンタ１の制御系が実行する、画像データ生成処理について、図８のフローチャートを参照しながら説明する。本処理は、レーザプリンタ１の電源が入っている状態において、図示しないパーソナルコンピュータなどから入出力インターフェース８９を介して印字ジョブを受け取った際に実行される。
【００７３】
まず、受信した印字ジョブをＲＡＭ８７に一旦記憶した後（Ｓ１１０）、その印字ジョブを解析するとともに、ＲＡＭ８７が記憶する印字条件情報の設定内容を確認する（Ｓ１２０〜Ｓ１６０）。
【００７４】
Ｓ１２０では、ＲＡＭ８７が記憶する印字条件情報の設定内容におけるカーボンコピー（ＣＣ）機能の設定が設定「ＯＮ」であるか否かを判断する。ここで、カーボンコピー機能の設定が設定「ＯＮ」であると判断した場合には（Ｓ１２０：Ｙ）Ｓ２００に移行し、後述するカーボンコピー処理を実行する。一方、カーボンコピー機能の設定が設定「ＯＮ」ではないと判断した場合には（Ｓ１２０：Ｎ）、Ｓ１３０に移行する。
【００７５】
Ｓ１３０では、ＲＡＭ８７が記憶する印字条件情報の設定内容におけるカーボンコピー機能の設定内容が設定「Ａｕｔｏ」であるか否かを判断する。ここで、カーボンコピー機能の設定が設定「Ａｕｔｏ」であると判断した場合には（Ｓ１３０：Ｙ）、Ｓ１４０に移行する。一方、カーボンコピー機能の設定内容が設定「Ａｕｔｏ」ではないと判断した場合には（Ｓ１３０：Ｎ）、Ｓ１５０に移行する。
【００７６】
Ｓ１４０では、印字ジョブにＵＥＬ情報が含まれているか否かを判断する。ここで、印字ジョブにＵＥＬ情報が含まれていないと判断した場合には（Ｓ１４０：Ｎ）、その印字ジョブがプリンタドライバ経由でなく、本実施例のレーザプリンタ１に直結された専用端末などから直接送信された可能性が高い、つまり本実施例のレーザプリンタ１をカーボンコピー機能専用プリンタとして使用しようとしている可能性が高いと判断してＳ２００に移行し、後述するカーボンコピー処理を実行する。一方、印字ジョブにＵＥＬ情報が含まれていると判断した場合には（Ｓ１４０：Ｙ）、その印字ジョブがプリンタドライバを経由しており、本実施例のレーザプリンタ１を共有プリンタとして使用しようとしていると判断し、印字ジョブに含まれる印字データを、画像データ展開用メモリ８８を利用して画像データに変換して印刷処理を実行する。
【００７７】
Ｓ１５０では、ＲＡＭ８７が記憶する印字条件情報の設定内容におけるカーボンコピー機能の設定が設定「Ｌｏｃａｌ」であるか否かを判断する。ここで、カーボンコピー機能の設定が設定「Ｌｏｃａｌ」であると判断した場合には（Ｓ１５０：Ｙ）、印字ジョブがローカル接続により送信され、本実施例のレーザプリンタ１をカーボンコピー機能専用プリンタとして使用しようとしている可能性が高いので、Ｓ１６０に移行する。一方、カーボンコピー機能の設定が設定「Ｌｏｃａｌ」ではないと判断した場合には（Ｓ１５０：Ｎ）、印字ジョブがネットワーク経由で送信され、本実施例のレーザプリンタ１を共有プリンタとして使用しようとしていると想定されるので、印字ジョブに含まれる印字データを、画像データ展開用メモリ８８を利用して画像データに変換して印刷処理を実行する。
【００７８】
Ｓ１６０では、印字ジョブに含まれるＩ／Ｆ情報がＬｏｃａｌであるか否かを判断する。ここで、印字ジョブに含まれるＩ／Ｆ情報がＬｏｃａｌではないと判断した場合には（Ｓ１６０：Ｎ）、印字ジョブに含まれる印字データを、画像データ展開用メモリ８８を利用して画像データに変換して印刷処理を実行する。一方、印字ジョブに含まれるＩ／Ｆ情報がＬｏｃａｌであると判断した場合には（Ｓ１６０：Ｙ）、Ｓ２００に移行し、後述するカーボンコピー処理を実行する。
【００７９】
［カーボンコピー処理についての説明］
次に、レーザプリンタ１の制御系が、画像データ生成処理のサブルーチンとして実行する図８に示すカーボンコピー処理（Ｓ２００）について、図９のフローチャートを参照しながら説明する。本処理は、画像データ生成処理にて、Ｓ１２０においてカーボンコピー機能の設定が設定「ＯＮ」であると判断した場合、Ｓ１４０において印字ジョブにＵＥＬ情報が含まれていないと判断した場合、または、Ｓ１６０において印字ジョブに含まれるＩ／Ｆ情報がＬｏｃａｌであると判断した場合の何れかにおいて実行される。
【００８０】
まず、最初のＳ２１０では、変数ａを、印字ジョブを印刷する部数（図４（ｂ）の項目「Ｃｏｐｉｅｓ」に格納されている個数に対応する。）に設定するとともに、変数ｂを数値「１」に設定する。なお、これら変数ａおよび変数ｂの値は、常に１以上の整数である。
【００８１】
続いて、次のように画像データを生成する（Ｓ２２０〜Ｓ２４０）。すなわち、この時点の変数ｂの値に基づいて、ＲＡＭ８７が記憶する印字条件情報の設定内容におけるｂ部目のトレイ情報をＲＡＭ８７から読み出す（Ｓ２２０）。次に、印字ジョブに含まれる印字データをＲＡＭ８７から読み出すとともに、同じく時点の変数ｂの値に基づいて、ＲＡＭ８７が記憶する印字条件情報の設定内容におけるｂ部目のマクロＩＤに対応するフォーマットデータをＲＡＭ８７から読み出す（Ｓ２３０）。さらに、読み出した印字データとフォーマットデータとを、画像データ展開用メモリ８８を利用して合成して画像データを生成する。そして、生成された画像データはＲＡＭ８７に記憶させる（Ｓ２４０）。
【００８２】
続くＳ２５０では、変数ｂの値を数値「１」増加させる。
続くＳ２６０では、変数ａの値と変数ｂの値とが一致しているか否かを判断する。ここで、変数ａの値と変数ｂの値とが一致していない場合には（Ｓ２６０：Ｎ）、指定された印字部数の画像データが生成されていないと判断してＳ２２０に戻り、Ｓ２２０以下の処理を繰り返し実行する。一方、変数ａの値と変数ｂの値とが一致している場合には（Ｓ２６０：Ｙ）、指定された印字部数の画像データが生成されたと判断して印刷処理（後述）を実行する。
【００８３】
［印刷処理についての説明］
次に、レーザプリンタ１の制御系が実行する印刷処理について、図１，２を参照しながら説明する。
【００８４】
本処理は、レーザプリンタ１の電源が入り、初期動作を実行して待機状態である際に、上述の画像データ生成処理が実行された後に続いて実行される。なお、上述の初期動作では、次のような動作を実行する。すなわち、第２駆動モータ６６等を作動させることにより、プロセスユニット１８における感光体ドラム２３や転写ローラ２５、現像ローラ２７、定着装置１９の加熱ローラ３１を回転させるとともに、加熱ローラ３１のヒータの電源を入れるなどの初期動作を実行する。
【００８５】
さて、画像データ生成処理が終了すると、ＲＡＭ８７から画像データを読み出すとともに、その読み出した画像データに対応するトレイ情報を読み出す。そして、そのトレイ情報に基づいて次のように給紙トレイ６を選択する。
【００８６】
（Ａ）トレイ情報が「Ｔｒａｙ１」など特定のトレイを指定するものである場合には、そのトレイに対応する給紙トレイ６を選択する。
（Ｂ）特定のトレイ情報において設定「Ａｕｔｏ」が設定されている場合には、全ての給紙トレイ６の中から一つを選択する。一例を挙げると、トレイごとに優先度を設定しておき、用紙３を備えるトレイのうち、優先度の高いトレイを選択するといった具合である。
【００８７】
（Ｃ）特定のトレイ情報において設定「Ｒｅｍａｉｎｉｎｇ  Ｔｒａｙ」が設定されている場合には、他のトレイ情報において設定されていないトレイを検索し、その検索されたトレイの中から一つを選択する。一例を挙げると、トレイごとに優先度を設定しておき、他のトレイ情報において設定されていないトレイを検索し、その検索されたトレイのうち、優先度が高いトレイを選択するといった具合である。
【００８８】
そして、トレイ情報に基づいて選択された給紙トレイ６から用紙３を給紙させる。具体的には、選択された給紙トレイ６に対応する給紙ローラ１２に駆動力を短時間だけ伝達すべくクラッチ７０を接続したのちに切断して給紙ローラ１２を回転させる。給紙ローラ１２が回転すると、給紙トレイ６の最上位にある用紙３が、給紙ローラ１２および分離パッド１３により１枚毎に給紙トレイ６から取り出され、その先端が搬送経路７における第３用紙センサ５４に接近するように搬送される。
【００８９】
用紙３を検出したことを示す検出信号を第３用紙センサ５４から受信すると、第３クラッチ８０を接続にして搬送ローラ１１を回転させる。そして、給紙ローラ１２により、用紙３の先端部が搬送ローラ１１における駆動ローラ１１ａと従動ローラ１１ｂとの間に搬送されると、用紙３は搬送ローラ１１によって搬送ローラ１０の方向に搬送される。この搬送ローラ１１による用紙搬送状態では、前述のように給紙ローラ１２は空転状態であるので、用紙３の後半側は給紙ローラ１２にて拘束されることはなく、１枚の用紙３の全体は搬送ローラ１０の駆動力にて搬送下流側に搬送される。
【００９０】
用紙３を検出したことを示す検出信号を第２用紙センサ５５から受信すると、第２クラッチ８１を接続することにより、搬送ローラ１０を回転させる。その後所定時間経過後に、搬送上流側である搬送ローラ１１を空転させるべく第３クラッチ８０を遮断する。すると、１枚の用紙３の全体は搬送ローラ１０によりレジストローラ９に搬送される。
【００９１】
用紙３を検出したことを示す検出信号を第１用紙センサ５６から受信すると、第１クラッチ８２を接続することによりレジストローラ９を回転させるとともに、第２クラッチ８１を遮断して搬送ローラ１０を空転状態にする。すると、用紙３はレジストローラ９によって搬送され、所定のレジスト後にレジストローラ９により画像形成位置Ｐに送られる。
【００９２】
用紙３を検出したことを示す検出信号を画像タイミングセンサ５７から受信すると、スキャナユニット１７を作動させる。具体的には、図示しないレーザ発光部から発光される画像データに基づくレーザービームを、ポリゴンミラー２０、レンズ２１ａ、反射鏡２２、レンズ２１ｂの順に通過あるいは反射させて、プロセスユニット１８における感光体ドラム２３の表面上に高速走査にて照射させる。すると、画像データに基づく静電潜像が感光体ドラム２３に形成される。
【００９３】
また、現像ローラ２７の回転により、現像ローラ２７上に担持されかつ正帯電されているトナーが、感光体ドラム２３に対向して接触する時に、感光体ドラム２３の表面上に形成される静電潜像、すなわち、一様に正帯電されている感光体ドラム２３の表面のうち、レーザービームによって露光され電位が下がっている露光部分に供給され、選択的に担持されることによって可視像化され、これによってトナー像が達成される。
【００９４】
そして、画像タイミングセンサ５７からの検出信号を受信してから所定時間経過後に、第１クラッチ８２を遮断して、レジストローラ９における駆動ローラ９ａを空転させる。すると、用紙３の先端縁が、感光体ドラム２３と転写ローラ２５とにより挟持されて用紙３の全体が搬送されることになり、画像形成位置Ｐに到達したトナー像が用紙３上に転写される。トナー像が転写された用紙３は定着装置１９に送られる。なお、トナー像を用紙３に転写した後の感光体ドラム２３の表面は、現像ローラ２７によりクリーニングされる。また、用紙３が通過したことを示す検出信号を第１用紙センサ５６から受信すると、用紙３の後端がレジストローラ９を通過完了していると判断してレジストローラ９の駆動ローラ９ａと従動ローラ９ｂを停止させる。
【００９５】
続いて、定着装置１９に送られた用紙３は、回転する加熱ローラ３１と加圧ローラ３２との押圧部を通過し、これら加熱ローラ３１および加圧ローラ３２によって可視像が用紙３に熱定着される。
【００９６】
ここで、(イ)片面印刷された用紙３を排紙トレイ３６に排紙する場合には、フラッパ４５を上向き回動させる。さらに、可視像が熱定着した用紙３は、搬送ローラ３３によって排紙パスにおける搬送ローラ３４および排紙ローラ３５に搬送され、その後排紙トレイ３６上に排紙される。
【００９７】
また、(ロ)両面印刷する場合には、フラッパ４５を反転ローラ４６に向かう方向に切替える。そして、正逆回転切替え可能な反転ローラ４６にて挟持された用紙３は、まず、反転ローラ４６の正回転により反転ガイドプレート４８に向かって搬送され、その後反転ローラ４６の逆回転により用紙３を再搬送ローラ４７に逆送りし、再搬送トレイ４３における湾曲ガイド板５２からトレイ本体５０上の斜行ローラ５１により、図示しない基準板に用紙３の側縁が当接されながら搬送され、再搬送ガイド板５３を介して、前記搬送ローラ１０の箇所に戻される。これにより、搬送ローラ１０、レジストローラ９の箇所では、用紙３の非印字面が上面に向くように反転される結果、その状態で画像形成位置Ｐを通過させると、用紙３の裏面に画像形成できることになる。可視像が転写された用紙３は、定着装置１９に送られて熱定着される。フラッパ４５を上向き回動させたのち、さらに、可視像が熱定着した用紙３は、搬送ローラ３３によって排紙パスにおける搬送ローラ３４および排紙ローラ３５に搬送され、その後排紙トレイ３６上に排紙される。
【００９８】
また、画像データが複数存在する場合には、次の画像データをＲＡＭ８７から読み出すとともに、その読み出した画像データに対応するトレイ情報を読み出す。そして、上述のようにそのトレイ情報に基づいて給紙トレイ６を選択して同様の処理を繰り返す。
【００９９】
［効果］
このように実施例のレーザプリンタ１によれば、次のような効果を奏する。
（１）従来のレーザプリンタにおいては、例えば顧客用と控え用とで異なる被記録媒体としての用紙を使用する場合には、例えば同一の給紙トレイの中に、一部目には顧客用の用紙を、二部目には控え用の用紙を順に積載するといった作業が必要となり、ユーザに手間がかかっていた。これに対して、本実施例のレーザプリンタでは、次のように作用する。すなわち、ＲＡＭ８７が記憶する印字条件情報の設定内容におけるｂ部目のトレイ情報をＲＡＭ８７から読み出す（Ｓ２２０）。次に、印字ジョブに含まれる印字データをＲＡＭ８７から読み出すとともに、ＲＡＭ８７が記憶する印字条件情報の設定内容におけるｂ部目のマクロＩＤに対応するフォーマットデータをＲＡＭ８７から読み出す（Ｓ２３０）。さらに、読み出した印字データとフォーマットデータとを、画像データ展開用メモリ８８を利用して合成して画像データを生成する（Ｓ２４０）。そして、ｂ部目のトレイ情報にて指定された給紙トレイ６から給紙させた用紙３に、その画像データに基づき画像形成させる。このことにより、ユーザに手間をかけることなく、異なるフォーマット（例えば顧客用と控え用）の画像形成を行うことができる。
【０１００】
（２）また、トレイ情報設定処理においては、例えば顧客用の用紙３を積載する特定の給紙トレイ６について特定の印字部に対して設定しておけば、その他の印字部に対してはその特定の給紙トレイ６以外の給紙トレイ６を自動的に設定するので、全ての印字部に対して給紙トレイ６を設定する場合に比べて、ユーザの手間がかからない。
【０１０１】
（３）さらに、上述のカーボンコピー処理においては、カーボン機能を有効にするか否かが自動的に判断されるので、例えば顧客用および控え用を作成する必要がある書類を作成するための設定と、一般文書を作成するための設定とをユーザが切り替える手間を省くことができる。
【０１０２】
（４）また、ユーザが操作部９２を介して印字条件情報を設定するよう構成したので、ユーザが画像形成を行うごとに、印字条件情報を作成してレーザプリンタ１に送信する必要がなく、ユーザの利便性を向上させることができる。また、設定された印字条件情報はＲＡＭ８７に記憶されるので、印字条件情報を一度作成しておけば、変更がない限り再度印字条件情報を作成する必要がなく、ユーザの利便性を向上させることができる。
【０１０３】
（５）また、ＲＡＭ８７がフォーマットデータを予め記憶しているので、ユーザが画像形成を依頼するごとに、印字データとともにフォーマットデータをレーザプリンタ１に送信する必要がなく、ユーザの利便性を向上させることができる。
【０１０４】
［別実施例］
（１）上記実施例では、本発明をレーザプリンタ１に適用したが、カラーレーザプリンタや、インクジェットプリンタ等他の形態のプリンタに本発明を適用してもよい。
【０１０５】
（２）上記実施例では、ＲＡＭ８７がフォーマットデータを予め記憶しているが、これには限られず、フォーマットデータを印字データとともに送信してもらい、入出力インターフェース８９を介して受信するようにしてもよい。
【０１０６】
（３）上記実施例では、ユーザが操作部９２を介して印字条件情報を設定するよう構成されているが、これには限られず、パーソナルコンピュータなどで作成した印字条件情報を印字データとともに送信してもらい、入出力インターフェース８９を介して受信してＲＡＭ８７に記憶するようにしてもよい。
【０１０７】
（４）上記実施例では、印字条件情報が、「印字部数情報」、「マクロＩＤ」および「トレイ情報」といったカーボンコピーを実行するための情報を含んでいるが、これには限られず、例えば、２つの給紙トレイ６のうち、一方の給紙トレイ６には所定の場所に「顧客用」と印刷された用紙が積載され、他方の給紙トレイ６には所定の場所に「控え用」と印刷された用紙が積載されている場合や、一方の給紙トレイ６には顧客用に青色の用紙が積載され、他方の給紙トレイ６には控え用に白色の用紙が積載されている場合など、異なる用紙が給紙トレイ６に積載されていれば、印字データから画像データを生成する際に、フォーマットデータと合成しなくても画像形成後の用紙３を区別することができると考えられる。そこで、印字条件情報が、フォーマットデータを指定するための「マクロＩＤ」を除く、「印字部数情報」および「トレイ情報」を含むようにしてもよい。このようにしても上記実施例と同様の作用効果を奏する。
【図面の簡単な説明】
【０１０８】
【図１】実施例のレーザプリンタの概略断面図である。
【図２】実施例のレーザプリンタの用紙搬送経路周辺の概略断面図である。
【図３】実施例のレーザプリンタの制御系のブロック図である。
【図４】（ａ）は、実施例の印字ジョブを示す説明図であり、（ｂ）は、実施例のＲＡＭが記憶する印字条件情報を示す説明図である。
【図５】(ａ)は、レーザプリンタの制御系が実行する印字条件情報設定処理を説明する説明図であり、(ｂ)は、レーザプリンタの制御系が実行する印字部数情報設定処理を説明する説明図（１）である。
【図６】(ａ)は、レーザプリンタの制御系が実行する印字部数情報設定処理を説明する説明図（２）であり、(ｂ)は、レーザプリンタの制御系が実行するマクロ選択処理を説明する説明図（１）であり、(ｃ)は、レーザプリンタの制御系が実行するマクロ選択処理を説明する説明図（２）である。
【図７】(ａ)は、レーザプリンタの制御系が実行するトレイ情報設定処理を説明する説明図であり、(ｂ)は、レーザプリンタの制御系が実行するトレイ情報設定処理を示すフローチャ―トである。
【図８】実施例のレーザプリンタの制御系が実行する画像データ生成処理を説明するフローチャートである。
【図９】実施例のレーザプリンタの制御系が実行するカーボンコピー処理を説明するフローチャートである。
【符号の説明】
【０１０９】
１…レーザプリンタ、２…本体ケース、３…用紙、４…フィーダ部、６…給紙トレイ、７…搬送経路、７ａ，７ｂ…ガイド板、８…用紙押圧板、９…レジストローラ、９ａ，１０ａ，１１ａ…駆動ローラ、９ｂ，１０ｂ，１１ｂ…従動ローラ、１０，１１，１６，３３，３４…搬送ローラ、１２…給紙ローラ、１３…分離パッド、１３ａ…パッド、１３ｂ…ばね、１３ｃ…パッド支持体、１４…マルチパーパストレイ、１５ａ…マルチパーパストレイ側給紙ローラ、１５ｂ…マルチパーパストレイ側給紙パッド、１７…スキャナユニット、１８…プロセスユニット、１９…定着装置、２０…ポリゴンミラー、２１ａ，２１ｂ…レンズ、２２…反射鏡、２３…感光体ドラム、２４…現像カートリッジ、２５…転写ローラ、２６…トナー収容部、２７…現像ローラ、２８…層厚規制ブレード、２９…トナー供給ローラ、３１…加熱ローラ、３２…加圧ローラ、３５…排紙ローラ、３６…排紙トレイ、３７…スコロトロン型帯電器、５４…第３用紙センサ、５５…第２用紙センサ、５６…第１用紙センサ、５７…画像タイミングセンサ、５８ａ，５８ｂ，５８ｃ，５８ｄ…センサレバー、５９ａ，５９ｂ，５９ｃ，５９ｄ…検知器、６３…第１駆動モータ、６６…第２駆動モータ、７０…第４クラッチ、８０…第３クラッチ、８１…第２クラッチ、８２…第１クラッチ、８５…ＣＰＵ、８６…ＲＯＭ、８７…ＲＡＭ、８８…画像データ展開用メモリ、８９…入出力インターフェース、９１…表示部、９２…操作部、Ｐ…画像形成位置
【図１】
2005066948.tif 000003
【図２】
2005066948.tif 000004
【図３】
2005066948.tif 000005
【図４】
2005066948.tif 000006
【図５】
2005066948.tif 000007
【図６】
2005066948.tif 000008
【図７】
2005066948.tif 000009
【図８】
2005066948.tif 000010
【図９】
2005066948.tif 000011